(57)【要約】【課題】  液晶ディスプレイ装置における液晶パネル固有の視角による色相シフトを抑制することができる拡散シートを提供することを課題とする。【解決手段】  本発明の拡散シートは、透明性を有する基材シート１と、この基材シート１の少なくとも片面側に定着して光を散乱させる光拡散層２とを備える拡散シートであって、前記光拡散層２には少なくとも、厚さ方向に凸面を有する複数の有色透明粒体２１が散在してなることを特徴とする。また、前記光拡散層２には、凸面を有する無色透明粒体２２が、前記複数の有色透明粒体２１の間に散在してなることが好ましい。また、前記無色透明粒体２２及び前記有色透明粒体２１は、様々な粒度のビーズから構成されていることが好ましい。【選択図】  図１
2005326586.tif 000002
【特許請求の範囲】
【請求項１】
透明性を有する基材シート１と、この基材シート１の少なくとも片面側に定着して光を散乱させる光拡散層２とを備える拡散シートであって、前記光拡散層２には少なくとも、厚さ方向に凸面を有する複数の有色透明粒体２１が散在してなることを特徴とする拡散シート。
【請求項２】
光拡散層２には、凸面を有する無色透明粒体２２が、前記複数の有色透明粒体２１の間に散在してなる請求項１記載の拡散シート。
【請求項３】
無色透明粒体２２及び有色透明粒体２１は、様々な粒度のビーズから構成されている請求項１又は２のいずれか記載の拡散シート。
【請求項４】
光拡散層２は、前記複数の無色透明粒体２２及び前記複数の有色透明粒体２１を混在させたバインダー樹脂２３を、前記基材シート１に定着してなる請求項１、２又は３のいずれか記載の拡散シート。
【請求項５】
複数の有色透明粒体２１のうち少なくともいずれかは、青の色相である１、２、３又は４のいずれか記載の拡散シート。
【発明の詳細な説明】
【技術分野】
【０００１】
本発明は、光源から導光体を経て導かれた光線を拡散させるための拡散シートに関するもののうち、特に、液晶ディスプレイ装置の液晶パネルと蛍光ランプ（熱陰極管や冷陰極管）の間に組み込まれる拡散シートに関するものである。
【背景技術】
【０００２】
現在汎用されている液晶ディスプレイ装置においては、図３に示したように、液晶パネルを背面からライティングするバックライト機構が配設されている。バックライト機構の構成は、液晶パネルから遠い順に、１）管状の光源である蛍光ランプＬ（熱陰極管や冷陰極管）、２）蛍光ランプＬに隣接し液晶パネルに対し斜設された反射シートＦ、３）断面台形の透明性光板からなり、液晶パネルに平行な面を一構成面とする導光体Ｇ、４）導光体Ｇの前記一構成面に貼設された下拡散シート、５）この下拡散シート上面に重畳された断面鋸歯状（或いは蒲鉾状）のレンズシートＰ、及び、６）レンズシートＰ上面に重畳された上拡散シート、という６つの構成からなる。
【０００３】
蛍光ランプＬから出射された光は反射シートＦで反射され、導光体Ｇによって均一な面光源になり、下拡散シートで出射方向がやや調整され、レンズシートＰで液晶パネル側へ向かう垂直方向に集光される。そして、レンズシートＰと液晶パネル間の上拡散シートによって再度配光が調整され、液晶パネル面に対して均一なライティングが可能になっている（図３と同様の構成）。
【０００４】
従来の液晶ディスプレイ用の上拡散シートは、主にポリエチレンテレフタレート等からなる透明プラスチックシートの液晶パネル側の一面に、透明アクリルビーズを混入したアクリルバインダー樹脂２３を塗設してなるものが使用されていた。この透明アクリルビーズは、視角による輝度変化や彩度、明度シフトの偏りを抑えて均一化するものである。
【０００５】
しかしながら、上記上拡散シートは、液晶パネル固有の視角による色相シフトを相殺することができず、視角が大きくなるにつれて黄色に色シフトすることを避けられなかった。
【特許文献１】特開平７−１７４９０８号公報
【発明の開示】
【発明が解決しようとする課題】
【０００６】
そこで、本発明は、液晶ディスプレイ装置における液晶パネル固有の視角による色相シフトを抑制することができる拡散シートを提供することを課題とする。
【課題を解決するための手段】
【０００７】
本発明は、上記課題を解決すべく以下（１）ないし（５）の手段を採用したもので、その要旨とするところは、有色の粒体を散在させることで視角による色相シフトを最小化することにある。
【０００８】
（１）すなわち、本発明の拡散シートは、透明性を有する基材シート１と、この基材シート１の少なくとも片面側に定着して光を散乱させる光拡散層２とを備える拡散シートであって、前記光拡散層２には少なくとも、厚さ方向に凸面を有する複数の有色透明粒体２１が散在してなることを特徴とする。
【０００９】
このようなものであれば、有色透明粒体２１を透過する光は、層面に対する出射角度が大きい程、長光路となって大きく有色化される。もって、液晶ディスプレイ装置の視角による色相シフトを層面内で均一に補正することが可能となる。
【００１０】
（２）また、前記光拡散層２には、凸面を有する無色透明粒体２２が、前記複数の有色透明粒体２１の間に散在してなることが好ましい。
【００１１】
このようなものであれば、光散乱機能に富んだ複数の無色透明粒体２２が前記有色透明粒体２１と共に層面内で散在することとなり、層厚さが比較的薄いまま十分な光散乱機能を達成できる。もって、輝度が低下することなく、コンパクトな厚さの拡散シートを得ることができる。
【００１２】
（３）また、前記無色透明粒体２２及び前記有色透明粒体２１は、様々な粒度のビーズから構成されていることが好ましい。
【００１３】
このようなものであれば、粒度の異なるビーズ毎に光散乱角度が相違することとなり、簡易な構成によって十分な光散乱機能を得ることができる。また、ビーズは比較的安価に得られ、光拡散層２への散在も比較的容易であることから、容易に或いは安価に光拡散層２を形成することが可能となる。
【００１４】
（４）また、前記光拡散層２は、前記複数の無色透明粒体２２及び前記複数の有色透明粒体２１を混在させたバインダー樹脂２３を、前記基材シート１に定着してなることが好ましい。
【００１５】
このようなものであれば、複数の無色透明粒体２２及び有色透明粒体２１を容易に散在固定することができ、より容易に或いは安価に得ることができる。
【００１６】
（５）また、前記複数の有色透明粒体２１のうち少なくともいずれかは、青の色相であることが好ましい。
【００１７】
青の色相の有色透明粒体２１によって、すべての色相の補正を達成することができる。多くの場合、視角差の増加に従って緑及び赤の色相が増加する一方、青色の色相が減少するため、青の色相を補色することで均一な色相を得ることができる。
【発明の効果】
【００１８】
本発明は、上述のような構成としたことで、液晶ディスプレイ装置における液晶パネル固有の視角による色相シフトを抑制することができ、これによって、液晶ディスプレイ装置のさまざまな視角からの色相や美観を好ましいものにする拡散シートを得ることができる。
【発明を実施するための最良の形態】
【００１９】
以下、本発明を実施するための最良の形態を、実施例として示す図と共に説明する。図１は実施例１の拡散シートの断面模式図を、図２は実施例１の拡散シートの斜視図及び斜視部分拡大図を、図３は実施例１の拡散シートのバックライト装置への使用状態の断面模式図を、そして図４は実施例２の拡散シートの断面模式図をそれぞれ示す。なお、図３は、従来の拡散シートのバックライト装置への使用状態の断面模式図と同様の例である。
【００２０】
以下の実施例を含む本発明の拡散シートは、透明性を有する基材シート１と、この基材シート１の少なくとも片面側に定着して光を散乱させる光拡散層２とを備える。
【００２１】
本発明の拡散シートが具備する基材シート１は、拡散層を保持する構造機能を有した板又はフィルムであり、完全又は不完全な透明性を有する。主たる構成材として、ポリエチレンテレフタレート（ＰＥＴ）樹脂、ポリカーボネート樹脂、ポリスチレン樹脂、アクリル樹脂、透明ガラス、無機透明物質等の透明質のものであれば使用可能である。厚さは特に限定するものではないが、加工の容易性、ハンドリング性、用途に応じた弾性、耐久性等を考慮して、１０μｍｍ〜５００μｍｍ程度が好ましい。
【００２２】
そして、本発明の拡散シートの光拡散層２は、複数の透明粒体が、層面内に散在すると共に、バインダー樹脂２３等の定着剤によって基材シート１に定着されてなる。この光拡散層２は基材シート１の表面、裏面のいずれに定着するものでもよい。実施例１では表面に定着するものとし、重畳される表面不連続のレンズシートＰと反対側に位置させて、バックライト機構への組み込み時における基材シート１のたわみや設置歪みを効果的に防止している（図１）。一方、実施例２では裏面に定着するものとし、重畳される表面不連続のレンズシートＰと接面して、光拡散と同時にスティッキングを防止することとしている（図４）。
【００２３】
光拡散層２の厚みは特に限定するものではないが、基材シート１への塗設の容易性、強度、光拡散効果及び色相シフト量などを考慮して、５μｍｍ〜５０μｍｍ程度が好ましい。
【００２４】
複数の透明粒体は、厚さ方向（さらに好ましくは基材シート１と反対側）に凸面を有する複数の有色透明粒体２１と、同じく凸面を有する複数の無色透明粒体２２とからなるが、このうち少なくとも複数の有色透明粒体２１が含まれればよい。つまり、下記実施例１のように基材シート１の表面へ有色透明粒体２１及び無色透明粒体２２を混合させて定着したものでもよく、あるいは、図４に示す実施例２のように、基材シート１の表裏面双方に光拡散層２として透明流体を定着したものでもよい。実施例２では、光拡散層２として、裏面に有色透明粒体２１のみを定着させ、表面にエンボス加工を施したものとしている（図４）。
【００２５】
無色透明粒体２２と有色透明粒体２１との混合比は、光拡散効果及び色相シフト量を考慮して、重量比９９：１ないし１：９９の任意の比とするが、中でも９７：３ないし８７：１３程度、さらには９５：５（±１）程度であることが好ましい。
【００２６】
光拡散層２における複数の透明粒体の配置態様としては、光拡散効果及び色相シフト量を考慮し、バインダー樹脂２３に埋設された透明粒体とバインダー樹脂２３に部分的に埋設された透明粒体とを混在させて用いることができる。これはすなわち、図１に示すように、透明粒体の凸表面の一部または全部がバインダー樹脂２３から表出した部分と、透明粒体の凸表面の全部がバインダー樹脂２３に埋設した部分とが混在する状態であり、また、複数の同じ粒径の透明粒体を比較した場合に、基材シート１表面から透明粒体の凸表面までの距離が大きい箇所と小さい箇所とが混在する状態である。これにより、よりランダムな拡散機能を得ることができる。
【００２７】
面積あたりの透明粒体の数は、実施例１のように有色透明粒体と無色透明粒体を同面内に混合させる場合、透明粒体を基材シート１の面に分散するように、或いは基材シート１の面をほぼ被うように密集させる態様が好ましい（図１）。
【００２８】
透明粒体たる無色透明粒体２２及び有色透明粒体２１は、好ましくは様々な粒度のビーズから構成される。粒度の異なるビーズを混在させて用いることで、多様な拡散方向を得ることができる。粒度の異なるビーズは略同数用いると、拡散方向の偏りを減少させることができる。
【００２９】
透明粒体のうち有色透明粒体２１は、たとえば染色ビーズならば成型により作製されたものが入手の点で好ましく、染色プラスチック樹脂（例えば染色アクリル、染色ウレタン、染色塩化ビニール）、染色有機物質、無機着色物質、着色ガラスなどが使用可能である。
【００３０】
粒径は特に限定されるものではないが、光拡散効果及び色相シフト量などを考慮して、１μｍ〜５０μｍ程度、さらには６μｍ±１μｍ程度が好ましい。
【００３１】
複数の有色透明粒体２１のうち少なくともいずれかは、青の色相である。青の色相の有色透明粒体２１は、平均粒径３ないし８μｍ、さらには６μｍ程度であることが好ましく、粒度分布は平均粒径±１．５ないし２μｍ以内の単分散分布であれば、微小粒体の混在によるヘイズの上昇や、粗大粒体の混在による塗工斑の発生を押さえることが出来る。比重は１ないし１．５程度、さらには１.２程度であり、屈折率は１ないし２、さらには１.５程度であり、ＣＶ値は９．００程度であることが好ましい。
【００３２】
また、有色透明粒体２１についての青の色相としては、白黒明度５．２ないし５．４程度の可視反射光下で色差色素計によって測定したときの、青−黄の色相における青色へのシフト量が、赤−緑の赤色へのシフト量の３ないし４倍程度であれば好ましい。さらに具体的には、色相が緑から赤へ１０ないし１５程度シフトしているときに、黄色から青へ４５ないし５０程度（黄色シフトを正値とすれば、−４５ないし−５０、さらには−４７．５程度の色相値）である。
【００３３】
なお、有色透明粒体２１によって色相のシフトを施すことによって、他の色相の透過率に影響が及ぶ。例えば上記青の色相では、無色透明粒体と比して、赤や緑の透過率が下がる傾向にある。このような他色の透過率の変化に対しても、青色の有色シフトは補正の余地を大きく残す好ましい色である。つまり、赤及び緑の透過率の減少は、蛍光管の添加割合の調整等によって赤、緑各色の刺激値を比較的容易に増大させることができる。このため青色への有色シフトは、色相四原色のうち他の色（緑、赤、黄）への有色シフトよりも、有色にしたことに基づく他の色への影響（透過率に基づく印象の変化等）を抑えた、全体的な色相の補正が容易である。
【００３４】
透明粒体のうち無色透明粒体２２は、透明プラスチック樹脂（たとえばアクリル、塩化ビニール、ウレタン、）、有機透明物質、無機透明物質、透明ガラスなどが使用可能であり、ビーズによるものが安価に入手できるため好ましい。無色透明粒体２２は、前記複数の有色透明粒体２１の間に散在してなる。粒径は特に限定されるものではないが、光拡散効果を考慮して、１μｍｍ〜５０μｍｍ程度が好ましい。
【００３５】
定着剤たるバインダー樹脂２３は、透明紫外線硬化型プラスチック樹脂（例えば、アクリル樹脂或いはウレタン樹脂）が使用できる。
【００３６】
また、本発明の拡散シートの光拡散層２は、図４に示す実施例２のように基材シート１の表面にエンボス加工を施すことによって形成することもできる。エンボス加工は、あるいは裏面に施すものとしてもよい。
【００３７】
さらに、基材シート１の両面のうち、液晶パネル側とは反対側の導光体Ｇ側にも無色透明粒体２２が付設されている。これは、本発明の拡散シートがバックライト装置に設置される際にレンズシートＰあるいは導光体Ｇと接触固定されるとき、主にこのレンズシートＰあるいは導光体Ｇとのスティッキングを防止するためのスティッキング防止材である。このため、基材シート１の両面のうち液晶パネル側の拡散層よりも低密度で付設される。なお、予備的に拡散機能も発揮する。スティッキング防止材としての無色透明粒体２２は、透明ビーズを用いることが好ましい。スティッキング防止と光拡散効果を考慮して、１μｍｍ〜５０μｍｍ程度の粒径のもの、好ましくは、粒度の異なるビーズを、互いに１ｍｍ〜５ｍｍ程度の間隔を設けて配置する。前期拡散層の無色透明粒体２２と同一のものを使用すれば、より安価に得ることができる。
【００３８】
（本発明の製造方法）
そして、この発明の拡散シートの製造方法は、例えば以下の拡散層形成工程を具備することによる。すなわち、所定の組成を有する塗工液（無色透明粒体２２および有色透明粒体２１をバインダー樹脂２３内に混入したもの）を用いて、基材シート１の表面に周知のロールコート方式によって塗工し、高圧水銀灯やカーボンアーク、キセノンアーク、メタルハライドランプなどを使用して、波長領域１００ｎｍ〜４００ｎｍ、照射エネルギー５０ｋｃａｌ〜３００ｋｃａｌ／ｍｏｌの紫外線を照射して、拡散層を形成する工程である。
【００３９】
（本発明の使用態様と作用効果）
本発明の上記構成の拡散シートは、図３のようにバックライト装置に設置され、以下のような作用効果を有する。
【００４０】
先ず、蛍光ランプＬから出射した光線は、導光体Ｇを透過して下拡散シートを経てプリズムシートに達する。プリズムシートに入射する光線の角度は斜め方向の光線が支配的で、プリズムシートのプリズム面で屈折されライティングの法線方向に出射される。この光線が本発明の拡散シートに入射されると、無色透明粒体２２たる透明ビーズと有色透明粒体２１たる染色（青）ビーズによって光散乱される際、染色（青）ビーズを透過して屈折した光は、法線方向から視角差が大きくなるに従って、色相が染色した青色にシフトしていく。このことにより、液晶パネル固有の視角による色相シフトを抑制することが可能となる。
【００４１】
また、無色透明粒体２２たる透明ビーズと有色透明粒体２１たる染色（青）ビーズとを拡散層内に配置することにより、光の拡散度合いを加減することができるのみならず、透明ビーズと染色ビーズとの混合比を調整することによって色相シフト量の下限が可能で、かつ、透明ビーズと染色ビーズの合計重量（絶対配設量、すなわちバインダー樹脂２３への混入量）のコントローにルよって、輝度の調整も可能となる。
【００４２】
さらに、本実施例の拡散シートは、従来のライティングの拡散シートに色相補正機能を持たせたことから新たな光学フィルムの積層も省け、最小限の光学ロスで光拡散が行われるため、液晶ディスプレイ装置の輝度低下を最小にするなど種々の効果を奏する。
【００４３】
〔比較試験１〕
全光線透過率およびヘイズ特性に関して比較試験１を行った。本発明の実施例１の基材シート１として、１００μｍｍの厚さのポリエチレンテレフタレート（ＰＥＴ）シート（三菱化学ポリエステルフィルム株式会社製「ダイヤホイルＯ３００Ｅ易接着処理フィルム」）を用いて、その一方の面に、周知のロールコート方式で、バインダー樹脂２３の層厚さが３〜１５μｍとなるように、下記表１に示した組成を有する塗工液を塗布した。
【００４４】
紫外線硬化型アクリル樹脂は、固形分８０％光重合開始剤込（ユニディック１７−８２４：大日本インキ化学工業株式会社製）のものを用い、透明ビーズ（ＭＸ−５００：綜研化学株式会社製）平均粒径５μｍｍを使用した。
【００４５】
塗工後、高圧水銀灯で照射エネルギー２００ｋｃａｌ／ｍｏｌを照射しアクリル樹脂を硬化させた。
【００４６】
【表１】
2005326586.tif 000003
【００４７】
【表２】
2005326586.tif 000004
【００４８】
【表３】
2005326586.tif 000005
【００４９】
この拡散シート組み込み時の液晶ディスプレイ装置と、従来拡散シート組み込み時の液晶ディスプレイ装置の法線方向と左右方向３０°の色度ｘ、ｙを比較したものを表４、表５及び表６に示す。
【００５０】
液晶ディスプレイ装置の色度の測定は、色彩輝度計ＢＭ−７ＴＯＰＣＯＮ株式会社製を用いて、ライティングを所定のランプ電流に設定し、点灯から２０分後に、液晶ディスプレイの中央部を測定した。
【００５１】
【表４】
2005326586.tif 000006
【００５２】
【表５】
2005326586.tif 000007
【００５３】
【表６】
2005326586.tif 000008
【００５４】
上表に示すように、本発明の拡散シートを組み込むと、法線方向及び左右方向のそれぞれの色度がほとんど変わらず、液晶パネル固有の視角差による色相シフトを抑制する効果が認められた。
【００５５】
〔比較試験１〕
次に、光拡散効果を示す輝度及び色相シフト量を示す色度に関する比較試験により、最適な有色透明粒体２１の混合比の評価を行った。本比較試験のサンプルとして、無色透明粒体２２に対する有色透明粒体２１の混合比が０％（光拡散層に無色透明粒体２２のみを有する従来の拡散シート）、５％、１０％、１５％、および３０％（以上、本発明の実施例１の拡散シート）のものを用いた。主要材料は、以下表７に示すとおりの基材シート、アクリル塗工ベース剤、及びアクリルビーズ混合剤である。
【００５６】
【表７】
2005326586.tif 000009
【００５７】
上記「ＭＡ−１０００」および「ＭＸ−３００」は、透明粒体のうち無色透明粒体２２として、それぞれ１重量部と５重量部との合計６重量部が添加される。
【００５８】
一方、「ＣＭＸ−６００」は、透明粒体のうち有色透明粒体２１として、０．３重量部（無色透明粒体６重量部の５％）、０．６重量部（無色透明粒体６重量部の１５％）、および１．８重量部（無色透明粒体６重量部の３０％）の３種類の配合による３サンプル（それぞれＢＤＦ０５、ＢＤＦ１５、ＢＤＦ３０）を作成した。
【００５９】
なお、上記アクリル塗工ベース剤の配合割合（上記実施例では「バインダー、硬化剤、溶剤」それぞれの重量部〔１００：５：５２．５〕）によって、更には溶剤の「バインダー及び硬化剤の混合剤」に対する配合割合（上記実施例では〔（１００＋５）：５２．５〕＝〔１００：５０〕）によって、透明粒体の基材シートへの浮き沈みや、乾燥後のアクリル塗工ベース剤の厚みが決定される。この配合割合は好ましくは、上記割合値のプラスマイナス１０％程度以内、更には５％程度以内の配合割合が良いと考えられる。
【００６０】
本発明のサンプルとしての拡散シートは、アクリル塗工ベース剤７５重量部に対して、アクリルビーズ混合剤２５重量部を添加する調液工程と、この調液工程によって得られた調液剤を、テーブルコーター上に載置した基材シートに塗工する塗工工程と、この塗工工程によって得られたシートを８０℃雰囲気下で２０分間乾燥させる乾燥工程とによって得られる。
【００６１】
（左右方向の色度チャート）
ｘｙ軸に色度をとったときの左右方向の色度チャート（色度の絶対値変化）を図５に示す。
【００６２】
視角が左から正面視を介して右へシフトしたときの色度の変化は、図５においてチャートの上方点から下方点への変化で示される。正面視たる視角０°は（ｘ、ｙ）＝（０．３１、０．３３）の中央点で、中央点を中心にｘｙそれぞれプラスマイナス０．０２の円内が、色度の偏りの無い白色領域である。また、第一から第四象限の順に、黄色相、緑色相、青色相、および赤色相を示す。一般的に、黄色相に偏ると古ぼけた薄い印象になり、赤色相に偏ると刺激が強く不自然な印象になり、緑色相に偏るとボケた印象になることから、有視角内では青色相に偏ることが好ましいものとされる。また、視角シフトによっても色度が白色領域（中央点を中心にｘｙそれぞれプラスマイナス０．０２の円内）に近いことが、視角による色度差がない拡散シートと評価される。
【００６３】
図５から、従来の拡散シート（以下、ＤＦという）では左視角で緑色相から黄色相にシフトし、白色領域を経て、右視角ではやや黄色相寄りのまま赤色相にシフトすることが読み取れる。これに対して、有色透明粒体２１の混合比が５％、１５％、３０％と上がる度に、左右視角から正面視に至る色度変化が青色相（第三象限）にシフトすることがわかる。特に、混合比１５％（以下、ＢＤＦ１５という）では左右の大きな有視角内が白色領域に位置することから、左右方向の色度チャートではＢＤＦ１５が最適な色度変化を示すことが判った。
【００６４】
（左右方向の色度のシフトチャート）
次に、上記左右方向の色度の変化の割合を、中心点を原点とするシフトチャートで表した。つまり、白色中心からの色度ベクトルの変化の度合いをシフトチャートで示すものであり、各点の原点からの距離が小さいほど、視角による色度変化が小さいことを示す。これを図６に示す。
【００６５】
図６から、いずれも本発明（以下、ＢＤＦという）のほうがＤＦ（従来品）と比して色度ベクトルの変化が少ないことが判る。またＢＤＦ同士で比較すると、有色透明粒体２１の混合比の変化に対して緑色相及び赤色相の変化は小さく、混合比の赤色相および緑色相（、特に緑色相）への影響が小さいことが判る。逆に、比較的大きい左右視角においては、有色透明粒体２１の混合比が大きくなる程、黄色相から青色相へシフトすることが判る。
【００６６】
白色領域内に収まる視角の大きさを考慮すると、ＢＤＦ０５及び３０が、色度変化の割合が少なく、比較的最適な色度変化度を示すことが判る。
【００６７】
（左右方向の輝度プロファイル）
次に、横軸に視角度をとったときの輝度プロファイル（輝度Ｂ〔ｃｄ／ｍ2〕の絶対値変化）を図７に示す。
【００６８】
図７から、光量が一定のままであれば、ＢＤＦ１５、３０では輝度が落ちてしまうことが判る。従って、輝度を落とさずに色度の視角変化の偏り（黄色への色シフト）を抑制するためには、ＢＤＦ０５が比較的最適であることが、上記色度変化との総合評価により判った。
【００６９】
（左右方向の規格化輝度プロファイル）
なお、上記輝度プロファイルによる輝度の左右視角変化による変化量（規格化輝度の変化の度合い）を、正面視（視角０°）の輝度を１００％として図８に示した。
【００７０】
図８から、輝度変化の割合は、従来品とほとんど同様であり、視角変化に対する輝度変化は、本発明によって影響しないことが判った。
【産業上の利用可能性】
【００７１】
このようにして得られた本発明の拡散シートは、主に、液晶ディスプレイ装置に組み込まれるライティング機構用の上拡散シートとして好適に用いられるが、その他、光源から導光体を経て導かれた光線を拡散させる光学フィルムとしても広く用いられることもできる。
【図面の簡単な説明】
【００７２】
【図１】本発明の実施例１の拡散シートの部分断面模式図である。
【図２】実施例１の拡散シートの斜視図である。
【図３】図１に示す実施例１の拡散シートの使用状態を説明する断面模式図である。
【図４】本発明の実施例２の拡散シートの部分断面模式図である。
【図５】比較試験２による左右方向の色度チャートを示すグラフである。
【図６】比較試験２による左右方向の色度のシフトチャートを示すグラフである。
【図７】比較試験２による左右方向の輝度プロファイルを示すグラフである。
【図８】比較試験２による左右方向の規格化輝度プロファイルを示すグラフである。
【符号の説明】
【００７３】
１  基材シート
２  光拡散層
２１  有色透明粒体
２２  無色透明粒体
２３  バインダー樹脂
【図１】
2005326586.tif 000010
【図２】
2005326586.tif 000011
【図３】
2005326586.tif 000012
【図４】
2005326586.tif 000013
【図５】
2005326586.tif 000014
【図６】
2005326586.tif 000015
【図７】
2005326586.tif 000016
【図８】
2005326586.tif 000017